(57)【特許請求の範囲】
【請求項１】
左右のドア材と、これら両ドア材の上下方向の中間部同士を連結する中間連結材と、この中間連結材の上方及び下方の夫々に設けられて前記両ドア材の間に配置されるパネルユニットを備え、前記各パネルユニットが、上下の横枠材と左右の縦枠材とで構成されることで中央に前後方向に貫通する通気開口部が形成された枠体と、この枠体の前記上下の横枠材に縦軸回りに回動自在に連結されて、前記通気開口部を閉じる閉位置と前記通気開口部を開く開位置との間で回動自在となる開閉パネルとを有するドアの製造方法であって、前記両ドア材の対向面には上下方向に延びる差込溝部が形成されており、前記両ドア材が前記中間連結材にて連結された状態で、前記各パネルユニットの前記枠体の前記左右の縦枠材が、対応する前記差込溝部に上下方向における前記中間連結材と反対側から挿入されて、前記中間連結材の上下に形成される前記両ドア材の間の空間に、前記各パネルユニットが挿入され、前記各パネルユニットの前記枠体が前記両ドア材に連結されることを特徴とするドアの製造方法。
【請求項２】
左右のドア材と、これら両ドア材の上下方向の中間部同士を連結する中間連結材と、この中間連結材の上方及び下方の夫々に設けられて前記両ドア材の間に配置されるパネルユニットを備え、前記各パネルユニットが、上下の横枠材と左右の縦枠材とで構成されることで中央に前後方向に貫通する通気開口部が形成された枠体と、この枠体の前記上下の横枠材に縦軸回りに回動自在に連結されて、前記通気開口部を閉じる閉位置と前記通気開口部を開く開位置との間で回動自在となる開閉パネルとを有し、前記両ドア材の対向面に上下方向に延びる差込溝部が形成され、前記各パネルユニットの前記枠体の前記左右の縦枠材が、対応する前記差込溝部に上下方向における中間連結材と反対側から上下溝方向に沿って挿入され、上側のパネルユニットの上側の前記横枠材が上連結材となり、下側のパネルユニットの下側の前記横枠材が下連結材となって、前記両ドア材の上端部同士及び下端部同士が連結されたことを特徴とするドア。
【請求項３】
前記各パネルユニットの前記左右の縦枠材が、前記差込溝部から内側に向かって突出し且つ前記左右のドア材の厚み内に収まることを特徴とする請求項２に記載のドア。
【発明の詳細な説明】
【技術分野】
【０００１】
本発明は、換気機能を有するドアに関する。
【背景技術】
【０００２】
特許文献１には、ドア用換気装置が開示されている。このドア用換気装置は、換気口を有する枠体と、換気口を開閉するルーバーを有している。このドア用換気装置は、ドアに形成された開口に嵌合されて係止具等で固定される。
【先行技術文献】
【特許文献】
【０００３】
【特許文献１】特開２００５−３３６８０９号公報
【発明の概要】
【発明が解決しようとする課題】
【０００４】
ところで、特許文献１に示されるドア用換気装置を設けるにあたっては、ドアにドア用換気装置を設けるための開口を設ける必要があり、この作業に手間がかかる可能性がある。
【０００５】
本発明は前記事情に鑑みてなされたものであって、通気開口部及びこれを開閉する開閉パネルを有するドアの製造を容易にすることを課題とする。
【課題を解決するための手段】
【０００６】
上記課題を解決するために本発明のドアの製造方法は、左右のドア材と、これら両ドア材の上下方向の中間部同士を連結する中間連結材と、この中間連結材の上方及び下方の夫々に設けられて前記両ドア材の間に配置されるパネルユニットを備え、前記各パネルユニットが、上下の横枠材と左右の縦枠材とで構成されることで中央に前後方向に貫通する通気開口部が形成された枠体と、この枠体の前記上下の横枠材に縦軸回りに回動自在に連結されて、前記通気開口部を閉じる閉位置と前記通気開口部を開く開位置との間で回動自在となる開閉パネルとを有するドアの製造方法であって、前記両ドア材の対向面には上下方向に延びる差込溝部が形成されており、前記両ドア材が前記中間連結材にて連結された状態で、前記各パネルユニットの前記枠体の前記左右の縦枠材が、対応する前記差込溝部に上下方向における前記中間連結材と反対側から挿入されて、前記中間連結材の上下に形成される前記両ドア材の間の空間に、前記各パネルユニットが挿入され、前記各パネルユニットの前記枠体が前記両ドア材に連結されることを特徴とする。
【０００７】
また、本発明のドアは、左右のドア材と、これら両ドア材の上下方向の中間部同士を連結する中間連結材と、この中間連結材の上方及び下方の夫々に設けられて前記両ドア材の間に配置されるパネルユニットを備え、前記各パネルユニットが、上下の横枠材と左右の縦枠材とで構成されることで中央に前後方向に貫通する通気開口部が形成された枠体と、この枠体の前記上下の横枠材に縦軸回りに回動自在に連結されて、前記通気開口部を閉じる閉位置と前記通気開口部を開く開位置との間で回動自在となる開閉パネルとを有し、前記両ドア材の対向面に上下方向に延びる差込溝部が形成され、前記各パネルユニットの前記枠体の前記左右の縦枠材が、対応する前記差込溝部に上下方向における中間連結材と反対側から上下溝方向に沿って挿入され、上側のパネルユニットの上側の前記横枠材が上連結材となり、下側のパネルユニットの下側の前記横枠材が下連結材となって、前記両ドア材の上端部同士及び下端部同士が連結されたことを特徴とする。
また、前記各パネルユニットの前記左右の縦枠材が、前記差込溝部から内側に向かって突出し且つ前記左右のドア材の厚み内に収まることが好ましい。
【発明の効果】
【０００８】
本発明にあっては、開閉パネルを開位置に配置することで通気開口部を通して部屋の換気を行い、開閉パネルを閉位置に配置することで通気開口部を塞ぐことができる。また、左右のドア材の間に、枠体と開閉パネルとがユニット化されたパネルユニットを配置し、開閉パネルの枠体を両ドア材に連結することで、通気開口部及び開閉パネルを有するドアを簡単に製造することができる。
【図面の簡単な説明】
【０００９】
【図１】本発明の実施形態のドアの上連結材及びその近傍部分を示す斜視図である。
【図２】同上のドアの正面図である。
【図３】同上のドアの分解斜視図である。
【図４】同上のドアのドア材の上端部を示す斜視図である。
【図５】同上のドアの中間連結材を示す斜視図である。
【図６】同上のドアの固定具、付加ユニット、及びパネルユニットの分解斜視図である。
【図７】同上のドアの開閉パネルの斜視図である。
【図８】同上のドアの横枠材を示す斜視図である。
【図９】同上のドアの付加ユニットの斜視図である。
【図１０】同上の付加ユニットの分解斜視図である。
【図１１】同上のドアの固定具を取り付ける前の様子を示した斜視図である。
【図１２】同上のドアの開閉パネルの下端部及びその近傍部分を示し、（ａ）は開閉パネルを閉位置に配置した状態を示す斜視図であり、（ｂ）は開閉パネルを開位置に配置した状態を示す斜視図である。
【図１３】同上のドアの開閉パネル部分における水平断面図であり、（ａ）は開閉パネルを閉位置に配置した状態を示し、（ｂ）は開閉パネルを開位置に配置した状態を示している。
【図１４】同上のドアの遮蔽部部分における水平断面図である。
【図１５】同上の付加ユニットの動作を示す説明図であり、（ａ）は採光パネルが閉位置に配置されたときの状態を示し、（ｂ）は採光パネルが閉位置と開位置の間に配置されたときの状態を示し、（ｃ）は採光パネルが開位置に配置されたときの状態を示している。
【図１６】他例のドアの遮蔽部部分における水平断面図である。
【発明を実施するための形態】
【００１０】
以下、添付図面に基づいて本発明の実施形態につき説明する。図２は本実施形態のドア１の正面図である。
【００１１】
ドア１は、建物内に設けられる室内ドアであって、例えば部屋の出入口を開閉するために用いられる。ドア１は、図示しないドア枠により構成された建物開口部に回動自在に設けられる開き戸である。以下では、ドア１の厚み方向を前後方向、幅方向を左右方向として説明する。
【００１２】
ドア１は、ドア本体２と開閉パネル３を備えている。ドア本体２には、後述するパネルユニット５を設けることで、前後方向に貫通する通気開口部２０が形成されている。開閉パネル３は通気開口部２０に設けられ、通気開口部２０を開閉する。
【００１３】
ドア本体２は、図３に示される左右のドア材２１と、両ドア材２１を連結する連結材２２とを備えている。
【００１４】
各ドア材２１は、いわゆるフラッシュ構造を有する板状のパネル材であって、正面視縦長矩形状に形成されている。各ドア材２１は、図１３に示されるように芯材２３の表面を表面材２４で被覆したものである。芯材２３は木製であり、正面視矩形枠状に形成されている。
【００１５】
表面材２４は、板材２４０と、板材２４０の表面に積層された化粧シート２４１で構成されている。化粧シート２４１は合成樹脂製であって、その表面には木目模様が施されている。板材２４０の裏面には折曲溝が形成されており、化粧シート２４１は折曲溝を境にして芯材２３の外周面に沿って折り曲げられている。なお、ドア材２１は、水平断面矩形状の板を芯材２３としたものや、無垢材等であってもよい。
【００１６】
図２に示されるように、戸先側のドア材２１は、ドア本体２の戸先側の端部を構成している。吊元側のドア材２１は、戸先側のドア材２１よりも幅が広く、ドア本体２の戸先側部分を除く過半部を構成している。
【００１７】
各ドア材２１の上下両端面には、図４に示されるように、他方のドア材２１側の側方に開口する嵌込溝部２１０が形成されている。各ドア材２１の他方のドア材２１側の側面には、縦長の差込溝部２１１が形成されている。差込溝部２１１は、ドア材２１の嵌込溝部２１０が形成された上下両端部を除く部分に亘って形成されており、その上下両端は対応する嵌込溝部２１０に通じている。
【００１８】
図２に示されるように、両ドア材２１の上端部同士、下端部同士、及び中間部同士は、連結材２２によって連結されている。以下、特に区別する場合には、上側の連結材２２、下側の連結材２２、及びその間の連結材２２を、夫々、上連結材２２０、下連結材２２２、及び中間連結材２２１と記載する。
【００１９】
ドア本体２の戸先側の上部には、両ドア材２１、上連結材２２０、及び中間連結材２２１によって囲まれた通気開口部２０が設けられる。ドア本体２の戸先側の下部には、両ドア材２１、中間連結材２２１、及び下連結材２２２によって囲まれた通気開口部２０が設けられる。
【００２０】
すなわち、本実施形態では、ドア本体２の戸先側にドア本体２の上下方向の略全長に亘るように通気開口部２０が上下に２つ並べて設けられ、各通気開口部２０に開閉パネル３が設けられる。このため、開閉パネル３を選択的に開くことで、プライベート性を確保しながら通気ができるようになっている。なお、本実施形態では、通気開口部２０及び開閉パネル３をドア本体２の戸先側に設けたが、吊元側やドア本体２の幅方向中心部に設けてもよい。また、通気開口部２０及び開閉パネル３は、ドア本体２に１つだけ設けてもよいし、３つ以上設けてもよい。
【００２１】
図５に示されるように、中間連結材２２１は、木製の板材４０と、合成樹脂製の幕板材４１とを有している。板材４０は、縦長矩形状に形成されている。幕板材４１は、板材４０の前後面に取り付けられている。各幕板材４１は、板材４０の幅方向の両端部を除く部分を覆っている。各幕板材４１の表面には、木目模様が施されている。このため、中間連結材２２１は、ドア材２１に模した木目調の外観を成している。
【００２２】
各幕板材４１の上下両端部は、板材４０よりも上下方向の外側に向かって突出している。これにより、中間連結材２２１の上下両面には、板材４０の端面と両幕板材４１とで構成された左右方向に延びる凹部２２３が形成されている。なお、板材４０は、木製に限られず、金属製や合成樹脂製であってもよい。また、中間連結材２２１は、板材４０に幕板材４１を取り付けたものに限られず、無垢材等であってもよい。
【００２３】
板材４０には、その両側端面から突出したダボ４２が上下方向に複数設けられている。板材４０の両側端部は、対応するドア材２１の差込溝部２１１（図３等参照）の長さ方向の中間部に嵌め込まれている。図示は省略するが、中間連結材２２１の各ダボ４２は、対応する差込溝部２１１の溝奥部に形成されたダボ穴に嵌め込まれている。これにより、図２に示されるように、両ドア材２１の上下方向の中間部同士が、中間連結材２２１によって連結されている。
【００２４】
中間連結材２２１の上方及び下方の夫々には、パネルユニット５が設けられている。以下、特に区別する場合には、上側のパネルユニット５を上側パネルユニット５０と記載し、下側のパネルユニット５を下側パネルユニット５１と記載する。
【００２５】
図３に示されるように、各パネルユニット５は、縦長の枠体６と、枠体６の内側に配置されて、枠体６に対して縦軸回りに回動自在に取り付けられた縦長の開閉パネル３とを有している。ここで、縦軸回りとは、開閉パネル３の回動軸方向が縦方向（上下方向）と平行であることを意味する。
【００２６】
このように、開閉パネル３を縦軸回りに回動自在にすることで、横軸回りに回動自在にする場合と比較して、開閉パネル３に埃やごみ等が付き難くなる。また、これにより開閉パネル３を透して部屋に光を取り入れるときに、開閉パネル３に積もった埃やごみ等が影となって映り難くなる。また、縦軸回りに回動自在な開閉パネル３を縦長にすることにより、開位置に配置された開閉パネル３と通気開口部２０の両側面の間に形成される通気用の空間を大きくして十分な通気量を確保することもできる。
【００２７】
開閉パネル３は、透光性を有する採光パネルである。開閉パネル３は、図７に示されるように、透光性を有する縦長平板状の透光板３０と、透光板３０を囲んで保持するパネル枠３１とで構成されている。
【００２８】
透光板３０はガラス板である。詳しくは、透光板３０は、合成樹脂膜を介して二枚の板ガラスを接着した合わせガラスである。合わせガラスは、帯電性が低い。このため、開閉パネル３には、埃やごみ等が付き難くなっている。透光板３０は、縦長矩形状に形成されている。なお、透光板３０は合わせガラスに限られず、一枚の板ガラスであってもよい。また、透光板３０は、アクリル樹脂等のその他の透明な材料で形成されてもよい。
【００２９】
パネル枠３１は、正面視矩形状に枠組みされた、左右の縦枠３１０及び上下の横枠３１１で構成されている。左右の縦枠３１０は、金属製であって、例えばアルミニウム製である。
【００３０】
各縦枠３１０の水平断面形状は、上下方向に亘って一様であって、図１３（ａ）に示されるように透光板３０側に開口した溝状（略Ｃ字状）である。各縦枠３１０には、透光板３０側に開口する縦溝部３１２が上下方向に亘って形成されている。各縦枠３１０の縦溝部３１２には、透光板３０の対応する側端部が嵌め込まれている。
【００３１】
図７に示されるように、各横枠３１１は、両縦枠３１０の上端部間及び下端部間に架け渡されている。各横枠３１１は、図８に示されるように、固定部３１４と遮蔽部３１５を有している。
【００３２】
固定部３１４は、遮蔽部３１５よりも透光板３０側に位置し、透光板３０の幅方向に長い。固定部３１４には、透光板３０側に開口する横溝部３１６が形成されている。横溝部３１６は、固定部３１４の長さ方向に延びており、固定部３１４の長さ方向の両端部を除く部分に亘っている。
【００３３】
各横枠３１１の横溝部３１６には、図６に示されるように、透光板３０の対応する長さ方向の端部が嵌め込まれている。各横枠３１１の両端部には、上下方向における透光板３０と反対側からビス３２が通されている。各横枠３１１は、これらビス３２を対応する縦枠３１０にねじ込むことにより、両縦枠３１０に連結されている。このようにして形成されたパネル枠３１は、透光板３０を左右の縦枠３１０で挟み且つ上下の横枠３１１で挟んで保持している。
【００３４】
各横枠３１１の遮蔽部３１５は、平面視で透光板３０の幅方向に対して傾斜する方向に長い。遮蔽部３１５は、その長さ方向の中間部が固定部３１４の長さ方向の中間部に対して一体に接続されており、固定部３１４に対して移動不能である。遮蔽部３１５の長さ方向の両端部は、固定部３１４の幅方向外側に突出している。遮蔽部３１５と固定部３１４は、正面視における左右長さが略同じである。
【００３５】
図７に示されるように、開閉パネル３において、上下方向の両端部に位置する遮蔽部３１５の間の部分、すなわち、透光板３０、両縦枠３１０、及び両横枠３１１の固定部３１４で構成された部分は、略縦長板状のパネル部３３となっている。両遮蔽部３１５とパネル部３３（各横枠３１１の固定部３１４）は、正面から見たときの左右長さが略同じである。
【００３６】
遮蔽部３１５の長さ方向の中間部には、透光板３０と反対側に向かって突出した軸部３１８が形成されている。軸部３１８は、開閉パネル３の回動軸となる。軸部３１８の軸心は、透光板３０の幅方向の中間部に位置している。なお、本実施形態の軸部３１８の軸心は、透光板３０の水平断面において中心を通る中心線と一致しているが、透光板３０の幅方向において中心よりもやや外側にずれた位置にあってもよい。
【００３７】
図３に示されるように、開閉パネル３を囲む枠体６は、上下の横枠材６０と、左右の縦枠材６１とで構成されている。本実施形態では、枠体６の内側に形成された正面視縦長矩形状の開口部が、通気開口部２０となっている。すなわち、通気開口部２０は、両横枠材６０と両縦枠材６１で構成されている。
【００３８】
上側パネルユニット５０の上側の横枠材６０は、左右のドア材２１の上端部同士を連結する上連結材２２０となっている。下側パネルユニット５１の下側の横枠材６０は、左右のドア材２１の下端部同士を連結する下連結材２２２となっている。
【００３９】
上連結材２２０及び下連結材２２２（すなわち、各パネルユニット５の中間連結材２２１と反対側に位置する横枠材６０）は、図６に示される金属製のフレーム６２と合成樹脂製の幕板６３を有している。
【００４０】
フレーム６２は、例えばアルミニウム製の押出形材である。フレーム６２は、左右方向に長い。フレーム６２の断面形状は上下方向において開閉パネル３と反対側に開口する溝形（略Ｕ字状）に形成されている。図示は省略するが、断面溝形のフレーム６２の底部における長さ方向の中間部には、上下に貫通する挿通孔が形成されている。
【００４１】
幕板６３は、図３に示されるように、フレーム６２の前後面に取り付けられている。各幕板６３は、フレーム６２の長さ方向の両端部を除く部分を覆っている。各幕板６３の表面には、木目模様が施されている。このため、上連結材２２０及び下連結材２２２は、ドア材２１に模した木目調の外観を成している。
【００４２】
各幕板６３は、上下方向においてフレーム６２よりも開閉パネル３側に向かって突出している。上連結材２２０及び下連結材２２２の夫々には、各幕板６３の前記突出部分とフレーム６２の底部で構成された、開閉パネル３側に開口する凹部２２３が形成されている。なお、フレーム６２は、断面枠状の中空形材であってもよい。また、上連結材２２０及び下連結材２２２は、フレーム６２と幕板６３で構成されるものに限られず、例えば木製であってもよい。
【００４３】
上連結材２２０の凹部２２３には、上側の開閉パネル３の上側の遮蔽部３１５が挿入されている。下連結材２２２の凹部２２３には、下側の開閉パネル３の下側の遮蔽部３１５が挿入されている。また、これら遮蔽部３１５は、両幕板６３よりも中間連結材２２１側に僅かに突出している。
【００４４】
上側の開閉パネル３の上側の軸部３１８は、上連結材２２０の前記挿通孔に通されている。下側の開閉パネル３の下側の軸部３１８は、下連結材２２２の前記挿通孔に通されている。これにより、上側の開閉パネル３の上側の軸部３１８は、上連結材２２０によって縦軸回りに回動自在に支持され、下側の開閉パネル３の下側の軸部３１８は、下連結材２２２によって縦軸回りに回動自在に支持されている。
【００４５】
各パネルユニット５の中間連結材２２１側に位置する横枠材６０（すなわち、上側パネルユニット５０の下側の横枠材６０、及び下側パネルユニット５１の上側の横枠材６０）は、図６に示される左右に長いプレート６４により構成されている。
【００４６】
プレート６４の長さ方向の中間部には、上下に貫通する挿通孔６４０が形成されている。各開閉パネル３の中間連結材２２１側の軸部３１８は、対応するプレート６４の挿通孔６４０に通されており、縦軸回りに回動自在に支持されている。すなわち、横枠材６０の挿通孔６４０の周縁部は、開閉パネル３の中間連結材２２１側の軸部３１８を支持する軸受部となっている。
【００４７】
枠体６の左右の縦枠材６１は、金属製であり、詳しくはアルミウム製である。各縦枠材６１の水平断面形状は、上下方向に亘って一様である。なお、各縦枠材６１は、金属製に限られず、例えば合成樹脂製であってもよいし、木製であってもよい。
【００４８】
図１３に示されるように、戸先側の縦枠材６１の開閉パネル３側の側面は、後方程開閉パネル３側に位置するように湾曲又は傾斜している。これにより当該縦枠材６１の後側には、開閉パネル３側に突出した突部６１０が形成されている。吊元側の縦枠材６１の開閉パネル３側の側面は、前方程開閉パネル３側に位置するように湾曲又は傾斜している。これにより、当該縦枠材６１の前側には開閉パネル３側に突出した突部６１０が形成されている。
【００４９】
図６に示される上連結材２２０及び下連結材２２２の夫々のフレーム６２の長さ方向の両側部分には、上下方向における開閉パネル３と反対側からビス（不図示）が通されている。上連結材２２０及び下連結材２２２は、これらビスを対応する縦枠材６１にねじ込むことにより、両縦枠材６１に連結されている。
【００５０】
各パネルユニット５のプレート６４（中間連結材２２１側の横枠材６０）の長さ方向の両側部分には、上下方向における開閉パネル３と反対側からビス（不図示）が通されている。各パネルユニット５のプレート６４は、これらビスを対応する縦枠材６１にねじ込むことで、両縦枠材６１に連結されている。
【００５１】
前述したように、各開閉パネル３は、上下の軸部３１８が対応する横枠材６０の挿通孔６４０に通されて縦軸回りに回動自在に支持されており、これにより開閉パネル３は縦軸回りに回動自在となっている。
【００５２】
図３に示されるように、上連結材２２０及び下連結材２２２の夫々のフレーム６２の両側端部は、対応する縦枠材６１よりも外側方に向かって突出した連結部６５となっている。これら連結部６５は、各パネルユニット５の枠体６の中間連結材２２１と反対側の端部から外側方に向かって突出している。
【００５３】
パネルユニット５は、中間連結材２２１の上方及び下方に位置し、左右のドア材２１の間に配置されている。図１３に示されるように、各パネルユニット５の両縦枠材６１の開閉パネル３と反対側の端部は、対応するドア材２１の差込溝部２１１に挿入され、嵌め込まれている。すなわち、本実施形態では、両ドア材２１、上連結材２２０、及び中間連結材２２１で構成された前後方向に貫通する開口部分の両側面に、左右の縦枠材６１が設けられている。また、両縦枠材６１の大部分は、差込溝部２１１から内側（開閉パネル３側）に向かって突出している。また、両縦枠材６１は、ドア本体２の厚み内に収められている。このため、両縦枠材６１を目立ち難くすることができ、また、両縦枠材６１を小さくして、材料コストを抑えることができる。また、図１１に示されるように、各パネルユニット５の枠体６の左右の連結部６５は、対応するドア材２１の嵌込溝部２１０に嵌め込まれている。
【００５４】
各パネルユニット５は、例えば両ドア材２１を中間連結材２２１で連結した後に、中間連結材２２１の上下に形成された、両ドア材２１の間の空間に、上下方向における中間連結材２２１と反対側から挿入される。このとき、両縦枠材６１は、対応する差込溝部２１１に中間連結材２２１と反対側から挿入される。また、左右の連結部６５は、対応する嵌込溝部２１０に中間連結材２２１と反対側から挿入される。
【００５５】
左右の連結部６５には、上下方向において開閉パネル３と反対側からビス７１が通されている。これらビス７１は、対応するドア材２１にねじ込まれている。これにより上側パネルユニット５０の上連結材２２０及び下側パネルユニット５１の下連結材２２２は、両ドア材２１に連結されている。
【００５６】
図６に示される各パネルユニット５のプレート６４は、中間連結材２２１の対応する凹部２２３に挿入され、当該凹部２２３の奥面部に接触している。また、各パネルユニット５のプレート６４に対向する遮蔽部３１５は、図１４に示されるように中間連結材２２１の対応する凹部２２３に挿入されている。開閉パネル３が縦軸回りに回動されたとき、中間連結材２２１の凹部２２３に挿入された遮蔽部３１５は、図１４に示されるように軸部３１８を中心に回動する。なお、これら遮蔽部３１５は、両幕板材４１（凹部２２３）よりも透光板３０側に向かって僅かに突出している。
【００５７】
開閉パネル３が縦軸回りに回動されたとき、中間連結材２２１の凹部２２３に挿入された遮蔽部３１５は、軸部３１８を中心に回動する。
【００５８】
ところで、開閉パネル３をスムーズに回動させるには、遮蔽部３１５とプレート６４の間に僅かな隙間を設ける必要があるが、このような隙間を設けた場合、開閉パネル３とプレート６４の間から光漏れが生じる可能性がある。しかし、本実施形態では、遮蔽部３１５が中間連結材２２１の凹部２２３に挿入され、遮蔽部３１５に設けられた軸部３１８が凹部２２３の奥部に設けられたプレート６４の挿通孔６４０の周縁部によって回動自在に支持されている。このため、開閉パネル３とプレート６４の間に形成される隙間の前方部及び後方部を凹部２２３の前後の壁部によって覆うことができ、前記光漏れを生じ難くすることができる。
【００５９】
ここで、開閉パネル３において、上下方向の両端部に位置する遮蔽部３１５の間の部分をパネル部３３とする。すなわち、パネル部３３は、透光板３０、両縦枠３１０、及び両横枠３１１の固定部３１４で構成されており、略縦長板状である。開閉パネル３が開位置に配置されたとき、開閉パネル３のパネル部３３は、ドア本体２よりも前後方向の外側に突出する。このため、開位置に配置された開閉パネル３は、操作しやすくなっている。また、開閉パネル３を開位置に配置したときに、通気開口部２０を大きく開放して効率よく部屋の換気を行うことが可能になっている。
【００６０】
図１１に示されるように、上連結材２２０及び下連結材２２２の夫々のフレーム６２には、付加ユニット８が内装されている。付加ユニット８は、断面溝形のフレーム６２に収納され、フレーム６２の底部に沿って配置されている。
【００６１】
図１に示されるように、上連結材２２０及び下連結材２２２の夫々のフレーム６２には、付加ユニット８をフレーム６２に固定するための固定具９が収納されている。各固定具９には、上下方向において開閉パネル３と反対側に突出した溝形（断面略Ｕ字状）の嵌込部９０が形成されている。嵌込部９０には付加ユニット８が嵌め込まれている。
【００６２】
固定具９の左右両端部には、開閉パネル３と反対側からビス７２が通されている。これらビス７２は、フレーム６２を通して対応するドア材２１にねじ込まれており、これにより固定具９は両ドア材２１に固定されている。両ドア材２１に固定された固定具９は、付加ユニット８を開閉パネル３側に押圧している。これにより、付加ユニット８は、フレーム６２に対して固定されている。
【００６３】
上側の開閉パネル３の上側の軸部３１８は、上連結材２２０に設けられた付加ユニット８に回動自在に支持されている。下側の開閉パネル３の下側の軸部３１８は、下連結材２２２に設けられた付加ユニット８に回動自在に支持されている。
【００６４】
両付加ユニット８は、上下対称である。図９及び図１０には、上連結材２２０に設けられる付加ユニット８が示されている。
【００６５】
各付加ユニット８は、ケーシング８０、アーム８１、ダンパー８２、付勢部材８３、押圧体８４、及び可動体８５を有している。アーム８１、ダンパー８２、付勢部材８３、押圧体８４、及び可動体８５は、ケーシング８０に内装されている。
【００６６】
付加ユニット８の外殻となるケーシング８０は、左右に長い矩形箱状に形成されている。ケーシング８０は、開閉パネル３側に位置する板状のベース８００と、開閉パネル３側に開口した箱状でベース８００に被せ付けられるカバー８０１とで構成されている。
【００６７】
図１０に示されるように、ベース８００の内面には、平面視略扇状の凹所８０２が形成されている。凹所８０２の内周面の一部は、水平断面形状が戸先側に開いた略Ｖ字状の回動規制面８０３になっている。凹部２２３の底部における吊元側の端部には、ベース８００を上下に貫通する貫通孔８０４が形成されている。
【００６８】
上側の開閉パネル３の上側の軸部３１８は、上連結材２２０の前記挿通孔を通して上連結材２２０内の付加ユニット８の貫通孔８０４に通され、当該付加ユニット８の凹所８０２内に突出している。これにより、当該軸部３１８は、上側の付加ユニット８により回動自在に支持されている。すなわち、本実施形態では、上側の付加ユニット８の貫通孔８０４の周縁部と、上連結材２２０の前記挿通孔の周縁部とが、上側の開閉パネル３の上側の軸部３１８を受ける軸受部となっている。
【００６９】
下側の開閉パネル３の下側の軸部３１８は、下連結材２２２の挿通孔を通して下連結材２２２内の付加ユニット８の貫通孔８０４に挿通され、当該付加ユニット８の凹部２２３内に突出している。これにより、当該軸部３１８は、下側の付加ユニット８により回動自在に支持されている。すなわち、本実施形態では、下側の付加ユニット８の貫通孔８０４の周縁部と、下連結材２２２の挿通孔の周縁部とが、下側の開閉パネル３の下側の軸部３１８を受ける軸受部となっている。
【００７０】
ベース８００の凹所８０２には、アーム８１が配置されている。アーム８１の一端部には、上下に貫通した連結孔８１０が形成されている。連結孔８１０には、開閉パネル３の中間連結材２２１と反対側の軸部３１８が挿入され、当該軸部３１８はアーム８１に対して固定されている。これにより、アーム８１は、開閉パネル３の軸部３１８と共に回動する。
【００７１】
アーム８１の軸部３１８を中心とする回動の範囲は、凹所８０２の回動規制面８０３によって規制されている。これにより、開閉パネル３の回動範囲は、図１３（ａ）に示される閉位置から図１３（ｂ）に示される開位置までの範囲に制限されている。
【００７２】
すなわち、開閉パネル３が閉位置に配置されたとき、アーム８１は、図１５（ａ）に示されるように回動規制面８０３の後側の面に当接し、それ以上後側に回動することができなくなる。また、開閉パネル３が開位置に配置されたとき、アーム８１は、図１５（ｃ）に示されるように回動規制面８０３の前側の面に当接し、それ以上前側に回動することができなくなる。これにより、開閉パネル３は、通気開口部２０を閉じる閉位置から通気開口部２０を開放する開位置までの範囲でのみ回動できるようになっている。
【００７３】
図１３（ａ）に示されるように、閉位置に配置された開閉パネル３は、ドア本体２の幅方向と平行になり、ドア本体２の厚みの範囲内に納められる。このように開閉パネル３を閉位置に配置することで、通気開口部２０の略全体が開閉パネル３で閉塞される。この場合、通気開口部２０による換気は行われない。また、このように開閉パネル３を閉位置に配置した場合、開閉パネル３の両側の側端部は、対応する縦枠材６１の突部６１０と前後方向から見て重なる。このため、開閉パネル３を閉じた状態では、ドア１を前後方向から見たときに、通気開口部２０を通してドア１の反対側が見え難くなっている。
【００７４】
なお、閉位置に配置された開閉パネル３と、通気開口部２０の両側の内側面（両縦枠材６１）の間には、隙間４３が形成されるようになっている。なお、この隙間４３は冷気が漏れない程度の僅かな隙間である。
【００７５】
図１３（ｂ）に示されるように、開位置に配置された開閉パネル３は、両縦枠材６１の開閉パネル３側の側面と大略平行になり、ドア本体２の幅方向に対して傾斜する。このように開閉パネル３を開位置に配置することで、通気開口部２０は開放され、通気開口部２０を通じて部屋の換気が行われる。
【００７６】
図１０に示されるように、アーム８１の連結孔８１０と反対側の端部には、開閉パネル３と反対側に突出した連動部８１１が設けられている。連動部８１１は、開閉パネル３の回動中心よりも戸先側にずれた位置に配置されている。連動部８１１は円筒状に形成されており、水平断面円形の外周面を有している。連動部８１１は、開閉パネル３が縦軸回りに回動したとき、軸部３１８を中心にしてアーム８１と共に縦軸回りに回動する。
【００７７】
図１５に示されるように、付勢部材８３は、連動部８１１の戸先側に配置されている。付勢部材８３は、左右に長く伸縮方向が左右方向と平行になったコイルばねである。
【００７８】
付勢部材８３の吊元側端部には、押圧体８４が取り付けられている。押圧体８４は、連動部８１１と左右方向において並べて配置されている。押圧体８４は、左右方向に移動自在である。付勢部材８３は、戸先側がカバー８０１によって支持されている。付勢部材８３は、押圧体８４を常時吊元側（連動部８１１側）にばね付勢する。
【００７９】
押圧体８４の吊元側の面は、連動部８１１を押圧する押圧面８４０となっている。押圧面８４０は、第一面部８４１と第一面部８４１よりも前側の第二面部８４２とを有している。第一面部８４１は、後方程戸先側に位置するように傾斜している。第二面部８４２は、前方程戸先側に位置するように傾斜している。
【００８０】
押圧面８４０は、さらに中間面部８４３を有している。中間面部８４３は、水平断面形状が吊元側に突出した弧状であり、第一面部８４１と第二面部８４２を連続させている。第一面部８４１は、第二面部８４２よりも前後方向の長さが長く、中間面部８４３は、第一面部８４１、第二面部８４２、及び中間面部８４３で構成された押圧面８４０において前寄りの位置に形成されている。
【００８１】
開閉パネル３が閉位置に配置された状態では、アーム８１の連動部８１１は、図１５（ａ）に示されるように、第一面部８４１の後端部に当接する位置に配置される。この連動部８１１は、付勢部材８３により付勢された押圧体８４の第一面部８４１によって後側に押圧される。このため、アーム８１は、回動規制面８０３の後側の面に押し付けられ、開閉パネル３は閉位置で保持される。
【００８２】
利用者が、閉位置に配置された開閉パネル３を開き方向（平面視左回り）に回動させると、アーム８１は軸部３１８を中心にして前側に回動する。これに伴い、連動部８１１は押圧体８４を付勢部材８３の付勢力に抗して戸先側に押し込みながら前側に移動し、押圧体８４の中間面部８４３を乗り越える。そして、開閉パネル３が開位置に配置された時点で、連動部８１１は図１５（ｃ）に示されるように第二面部８４２に当接する位置に配置される。このように開閉パネル３が開位置に配置された状態では、連動部８１１が付勢部材８３により吊元側に付勢された押圧体８４の第二面部８４２によって前側に押圧される。このため、アーム８１は回動規制面８０３の前側の面に押し付けられ、開閉パネル３は開位置で保持された状態となる。
【００８３】
利用者が開位置に配置された開閉パネル３を閉じ方向（平面視右回り）に回動させると、アーム８１は軸部３１８を中心にして後側に回動する。これに伴い、連動部８１１は押圧体８４を付勢部材８３の付勢力に抗して戸先側に押し込みながら後側に移動し、押圧体８４の中間面部８４３を乗り越える。そして、開閉パネル３が所定開き角度まで閉じられた時点で、連動部８１１は第一面部８４１の前端部に当たる位置に至る。このように連動部８１１が第一面部８４１の前端部に至ると、付勢部材８３により吊元側に付勢された押圧体８４の第一面部８４１によって連動部８１１が後側に押し動かされ、アーム８１は軸部３１８を中心に後側に回動する。この付勢部材８３によるアーム８１の回動は、連動部８１１が第一面部８４１の後端部に至ってアーム８１が回動規制面８０３の後側の面に当たるまで、すなわち、開閉パネル３が閉位置に配置されるまで行われる。これにより、所定開き角度まで閉じられた開閉パネル３は、付勢部材８３の付勢力によって閉位置まで自動的に回動する。
【００８４】
ここで、押圧体８４、及び連動部８１１が設けられたアーム８１は、付勢部材８３のドア本体２の幅方向と平行な付勢力の向きを開閉パネル３の回動方向の成分を含む向きに変換した上で、付勢部材８３の付勢力を開閉パネル３に伝える付勢力伝達手段となっている。このため、本実施形態のように付勢部材８３としてドア本体２の幅方向に長いコイルばね等を利用した場合に、付勢部材８３をドア本体２の厚みの範囲内に納めやすくなる。
【００８５】
ダンパー８２は、連動部８１１の吊元側に配置されている。ダンパー８２は、伸縮式のダンパー８２である。詳しくは、ダンパー８２は、ピストン８２０がシリンダー８２１側に押し込まれる方向に移動するときに減衰力を作用させ、且つ自動で原点に復帰する自動復帰機能を備えたワンウェイ式のオイルダンパーである。
【００８６】
ダンパー８２は、ピストン８２０を戸先側に突出した状態で配置されている。ピストン８２０の先端部には、可動体８５が取り付けられている。可動体８５は、連動部８１１と左右方向において並べて配置されている。可動体８５の戸先側の面は、連動部８１１が接触する接触面８５０となっている。接触面８５０は、前方程吊元側に位置するように傾斜している。
【００８７】
開閉パネル３が開位置に配置された状態では、図１５（ｃ）に示されるように、ダンパー８２が伸長し、連動部８１１が可動体８５の接触面８５０の前側に配置される。開位置に配置された開閉パネル３が利用者によって閉位置まで回動させられると、アーム８１の回動に伴って連動部８１１が可動体８５を吊元側に押し込みながら接触面８５０の後側に移動する。このとき、可動体８５と共に吊元側に移動するピストン８２０に対して減衰力が作用し、これにより開閉パネル３の閉方向の回動動作が緩衝される。このため、開閉パネル３が閉じられるときには、開閉パネル３にダンパー８２の減衰力が作用し、開閉パネル３はゆっくりと閉位置まで回動するようになる。このため、開閉パネル３が勢いよく閉じられて大きな音が発生したり、開閉パネル３やこれを受ける部材が変形したり破損したりすることを防止できる。また、開閉パネル３が閉じられるときに、開閉パネル３と通気開口部２０の側面の間に指等が強く挟まれることも防止することができる。
【００８８】
開閉パネル３が利用者によって開位置まで回動させられると、アーム８１の回動に伴って連動部８１１が前側に移動する。この際、可動体８５はダンパー８２の復帰力によって連動部８１１に追従して戸先側に移動し、図１５（ｃ）に示す状態となる。
【００８９】
連動部８１１が設けられたアーム８１及び可動体８５は、開閉パネル３の回動動作をピストン８２０のドア本体２の幅方向と平行な動作に変換する動作変換手段となる。このため、本実施形態のようにドア本体２の幅方向に長いダンパー８２を利用して、ダンパー８２をドア本体２の厚みの範囲内に納めやすくなる。
【００９０】
なお、本実施形態では、連動部８１１を開閉パネル３の回動中心よりも戸先側に配置したが、吊元側に配置してもよい。すなわち、この場合は、各付加ユニット８が本実施形態のものと左右対称なものとなる。なお、付勢部材８３はコイルばね以外の弾性体であってもよい。また、ダンパー８２もオイルダンパーやシリンダーダンパーに限られるものではなく、ロータリーダンパー等、従来から知られている他のダンパーを用いてもよい。
【００９１】
戸先側のドア材２１の前後両面には、取手として図２に示されるレバーハンドル７３（レバー型ドアノブ）が設けられている。各レバーハンドル７３は、戸先側のドア材２１に取り付けられており、上下方向において両通気開口部２０の境界部である中間連結材２２１と同じ位置にある。
【００９２】
レバーハンドル７３は、一端部が戸先側のドア材２１に対して前後軸廻りに回動自在となるレバー部７３０を有している。レバー部７３０を回動することで、ドア１を開く際にドア本体２に設けられたラッチ（不図示）を操作できるようになっている。
【００９３】
レバー部７３０は、図２に実線で示される非使用位置から図２に破線で示される回動位置までの範囲で回動自在となっている。
【００９４】
前記非使用位置に配置されたレバー部７３０は、水平になる。前記回動位置に配置されたレバー部７３０は、吊元側斜め下方に向かって突出する。また、レバー部７３０は、例えば付勢部材によって回動位置から非使用位置に自動的に復帰される。
【００９５】
レバー部７３０の回動範囲は、中間連結材２２１の上下幅内に納められている。このため、利用者が開閉パネル３を開閉する際に、レバーハンドル７３が邪魔になり難い。
【００９６】
以上説明した本実施形態のドア１は、左右のドア材２１とパネルユニット５を備えている。パネルユニット５は、中央に前後方向に貫通する通気開口部２０が形成された枠体６を有している。パネルユニット５は、枠体６の上下の横枠材６０に縦軸回りに回動自在に連結されて、通気開口部２０を閉じる閉位置と通気開口部２０を開く開位置との間で回動自在となる開閉パネル３とを有している。そして、パネルユニット５が左右のドア材２１の間に配置され、パネルユニット５の枠体６が両ドア材２１に連結されている。
【００９７】
このドア１は、開閉パネル３を開位置に配置することで通気開口部２０を通して部屋の換気を行い、開閉パネル３を閉位置に配置することで通気開口部２０を塞ぐことができる。また、左右のドア材２１の間に、枠体６と開閉パネル３とがユニット化されたパネルユニット５を配置し、開閉パネル３の枠体６を両ドア材２１に連結することで、通気開口部２０及び開閉パネル３を有するドア１を簡単に製造することができる。また、通気開口部２０を有する枠体６と開閉パネル３をユニット化したことにより、開閉パネル３を枠体６に対して精度良く設けることができる。このため、換気性能、操作性、安全性等を安定して得ることができる。
【００９８】
また、ドア１は、本実施形態のように、通気開口部２０において所定開き角度まで閉じられた開閉パネル３に付勢力を付与して閉位置まで回動させる付加ユニット８を備え、付加ユニット８が枠体６の横枠材６０に内装されることが好ましい。このようにすることで、利用者によって開閉パネル３が所定の開き角度まで閉じられると、開閉パネル３は付加ユニット８の付勢力によって閉位置まで自動的に回動する。このため、利用者は簡単に開閉パネル３を閉じることができる。また、付加ユニット８を連結材２２で隠して目立ち難くすることができ、ドア１の外観を良くすることもできる。
【００９９】
また、ドア１は、本実施形態のように、両ドア材２１の対向面に上下方向に延びる差込溝部２１１が形成され、枠体６の左右の縦枠材６１が対応する差込溝部２１１に挿入され、左右の縦枠材６１が差込溝部２１１よりも内側に向かって突出することが好ましい。このようにすることで、枠体６の左右の縦枠材６１を対応する差込溝部２１１に挿入して、パネルユニット５を両ドア材２１に対して正確な位置に設けることができる。また、パネルユニット５の枠体６を両ドア材２１に連結するときには、枠体６の左右の縦枠材６１を対応する差込溝部２１１に挿入して位置決めすることができ、作業が容易になる。
【０１００】
また、本実施形態では、上下方向の一方側を第一側、反対側を第二側としたとき、枠体６の第一側の端部の両側に外側方に向けて突出する連結部６５が形成され、両ドア材２１の第一側の端面に第二側に凹んだ嵌込溝部２１０が形成されている。また、連結材２２の両連結部６５が対応する嵌込溝部２１０に嵌め込まれ、両連結部６５が第一側から挿入されたねじ具（ビス７１）により対応するドア材２１に連結されている。このように両連結部６５を対応するドア材２１の嵌込溝部２１０に嵌め込むことで、両ドア材２１を強固に連結することができる。
【０１０１】
また、開閉パネル３が閉位置に配置されたときには、本実施形態のように開閉パネル３と通気開口部２０の両側の内側面との間に隙間４３が形成されることが好ましい。このようにすると、パネルユニット５に多少の組立誤差が生じた場合でも、開閉パネル３を閉位置に配置したときに、高さ方向のいずれかの位置で縦枠材６１（通気開口部２０の側面）と開閉パネル３が当たり難くなる。このため、閉位置に配置された開閉パネル３を、ドア本体２の幅方向と平行な状態にすることができる。
【０１０２】
なお、本実施形態では、各付加ユニット８のアーム８１の回動範囲を規制することで、開閉パネル３の回動範囲を規制したが、その他の手段、又はその他の手段と回動規制面８０３による回動規制とにより開閉パネル３の回動範囲を規制しても構わない。
【０１０３】
前記その他の手段としては、例えば図１６に示されるように開閉パネル３の遮蔽部３１５を利用して、開閉パネル３の回動範囲を制限する方法があり、以下、これについて説明する。
【０１０４】
図１６に示されるように、遮蔽部３１５は、平面視でその長さ方向と平行な中心線に対して対称な六角形状に形成されている。遮蔽部３１５の長さ方向の両端部は、長さ方向の外側に行く程幅が徐々に小さくなっている。遮蔽部３１５の長さ方向の両端部の前後面は、平面視で遮蔽部３１５の長さ方向に対して傾斜した規制部３１９となっている。このうち、遮蔽部３１５の吊元側且つ前側の規制部３１９及び戸先側且つ後側の規制部３１９は、開閉パネル３が図１３（ａ）に示される閉位置に配置されたときに、図１６に実線で示されるようにドア本体２の幅方向と平行になる。また、遮蔽部３１５の戸先側且つ前側の規制部３１９及び吊元側且つ後側の規制部３１９は、開閉パネル３が図１３（ｂ）に示される開位置に配置されたときに、図１６に破線で示されるように、ドア本体２の幅方向と平行になる。
【０１０５】
図１６に示される遮蔽部３１５は、規制部３１９が対応する凹部２２３の内面に当接することで、軸部３１８回りの回動の範囲が規制される。すなわち、開閉パネル３が閉位置まで回動されると、遮蔽部３１５は、図１６中実線で示されるように吊元側且つ前側の規制部３１９が凹部２２３の前面に当たり、戸先側且つ後側の規制部３１９が凹部２２３の後面に当たる。また、開閉パネル３が開位置まで回動されると、遮蔽部３１５は、図１６中破線で示されるように戸先側且つ前側の規制部３１９が凹部２２３の前面に当たり、吊元側且つ後側の規制部３１９が凹部２２３の後面に当たる。同様に、各開閉パネル３の中間連結材２２１と反対側の横枠３１１が有する遮蔽部３１５も、規制部３１９が対応する連結材２２０、２２２の凹部２２３の内面に当たることで、その回動範囲が規制される。従って、開閉パネル３は、閉位置から開位置までの範囲でのみ回動できるようになる。
【０１０６】
なお、各開閉パネル３は、上下の遮蔽部３１５が対応する凹部２２３によって回動範囲が規制されるものであってもよいし、上下いずれか一方の遮蔽部３１５のみが対応する凹部２２３によって回動範囲が規制されるものあってもよい。
【０１０７】
また、前述した図１４に示される例では、開閉パネル３が閉位置まで回動されると、遮蔽部３１５は、図１４中実線で示されるように吊元側且つ前側の規制部３１９が凹部２２３の前面に僅かな隙間を介して対向する。この際、戸先側且つ後側の規制部３１９も凹部２２３の後面に僅かな隙間を介して対向する。また、開閉パネル３が開位置まで回動されると、遮蔽部３１５は、図１４中破線で示されるように戸先側且つ前側の規制部３１９が凹部２２３の前面に僅かな隙間を介して対向する。この際、吊元側且つ後側の規制部３１９が凹部２２３の後面に僅かな隙間を介して対向する。従って、組立誤差等により開閉パネル３の位置に多少のばらつきが生じた場合にも、閉位置に配置された開閉パネル３をドア本体２の幅方向と平行に配置することが可能になる。
【０１０８】
また、本実施形態では、開閉パネル３を、透光板３０とパネル枠３１で構成したが、パネル枠３１を省略し、開閉パネル３を透光板３０で構成してもよい。すなわち、この場合は、透光板３０の上下両端部に軸部３１８が設けられることとなる。また、開閉パネル３は透光性を有さないものであってもよい。また、本実施形態のドア１は開き戸であるが、引き戸であってもよい。
【０１０９】
また、この他、本発明は上述した実施形態に限定されるものではなく、本発明の趣旨を逸脱しない範囲内で適宜設計変更可能である。
【符号の説明】
【０１１０】
１  ドア
３  開閉パネル
５  パネルユニット
６  枠体
８  付加ユニット
２０  通気開口部
２１  ドア材
４３  隙間
６０  横枠材
６５  連結部
７１  ビス（ねじ具）
２１０  嵌込溝部
２１１  差込溝部
【要約】
【課題】通気開口部及び開閉パネルを有するドアの製造を容易にする。
【解決手段】左右のドア材２１と、両ドア材２１の上下方向の中間部同士を連結する中間連結材２２１と、中間連結材２２１の上方及び下方の夫々に配置されて両ドア材２１の間に配置されるパネルユニット５を備える。各パネルユニット５が、中央に前後方向に貫通する通気開口部２０が形成された枠体６と、枠体６の上下の横枠材６０に縦軸回りに回動自在に連結されて、通気開口部２０を閉じる閉位置と通気開口部２０を開く開位置との間で回動自在となる開閉パネル３とを有する。両ドア材２１の対向面に上下方向に延びる差込溝部２１１が形成される。各パネルユニット５は、枠体６の左右の縦枠材６１が対応する差込溝部２１１に上下方向における中間連結材２２１と反対側から挿入される。
【選択図】図１【図１】
0005493047.tif 000002
【図２】
0005493047.tif 000003
【図３】
0005493047.tif 000004
【図４】
0005493047.tif 000005
【図５】
0005493047.tif 000006
【図６】
0005493047.tif 000007
【図７】
0005493047.tif 000008
【図８】
0005493047.tif 000009
【図９】
0005493047.tif 000010
【図１０】
0005493047.tif 000011
【図１１】
0005493047.tif 000012
【図１２】
0005493047.tif 000013
【図１３】
0005493047.tif 000014
【図１４】
0005493047.tif 000015
【図１５】
0005493047.tif 000016
【図１６】
0005493047.tif 000017